(57)【要約】      （修正有）【課題】常に身近にあって携帯が可能であり、崩れやすい遺骨等の形状を損なわずに容器から取出・収納が容易であり、手のひらで遺骨等に触れることができる手元供養のための装飾容器を提供する。【解決手段】開口部と収納空間を有する容器本体１１と、開口部を閉塞して収納空間１４を密閉する中蓋部１３と、中蓋部に連結され、収納空間に装填される収納袋と、中蓋部を覆い容器本体に嵌合する外蓋部１２とから構成され、特に中蓋部と収納袋は固着されて一体型に構成する。また容器本体と外蓋部が嵌合して印籠形が形成されるように構成する。【選択図】図２
0003122485.tif 000002
【実用新案登録請求の範囲】
【請求項１】
開口部と収納空間を有する容器本体と、
前記開口部を閉塞して前記収納空間を密閉する中蓋部と、
前記中蓋部に連結され前記収納空間に装填される収納袋と、
前記中蓋部を覆い、前記容器本体に嵌合する外蓋部と、
からなる装飾容器。
【請求項２】
前記容器本体と前記外蓋部とが嵌合して印籠形を形成することを特徴とする請求項１に記載の装飾容器。
【請求項３】
前記収納袋が前記中蓋部に固定されて一体型に形成されることを特徴とする請求項１又は請求項２に記載の装飾容器。
【請求項４】
前記容器本体に小孔を設け、前記収納空間が外気と連通するように構成した請求項１から請求項３のいずれかに記載の装飾容器。
【請求項５】
前記収納袋は、パラフィン紙で形成されることを特徴とする請求項１から請求項４のいずれかに記載の装飾容器。
【請求項６】
前記収納袋は、前記中蓋部に固定される面と交差する方向に挿入口が形成されることを特徴とする請求項５に記載の装飾容器。
【請求項７】
前記収納袋は、前記挿入口を内側にして折り畳まれて収納されることを特徴とする請求項６に記載の装飾容器。
【考案の詳細な説明】
【技術分野】
【０００１】
本考案は、故人、愛玩動物等の遺骨又は遺灰の一部を容器内に収納して携帯し、日々供養する装飾容器（例えば、印籠）に関する。
【背景技術】
【０００２】
近年、遺骨や遺灰の一部を装飾品の中に納めたり、プレートに加工したりして身近で故人やペットを偲ぶ手元供養が広がっている。墓所が遠い場所にあってなかなか供養に行くことができない、あるいは身近に故人やペットのぬくもりを感じていたい等、人によって理由はさまざまであるが、旧習に囚われることなく、新しい供養の形を選ぶ人が増えている。
【０００３】
そのため、手元供養のための拝礼用具が種々提案され、一部商品化されているものもある。例えば、特許文献１には、ペットの遺骨や遺品を収納するスペースを設けた位牌が開示されている。特許文献２には、家族又は愛玩動物の遺骨や毛などの身体の一部を収納可能とした装身具が開示されている。また、特許文献３には、遺骨や遺灰の半永久的な保存のためにエポキシ樹脂で固めて密閉した装飾品（ペンダント）が示されている。
【０００４】
【特許文献１】特開２００５−０３４５４９号公報
【特許文献２】実用新案登録第３０９９１４９号
【特許文献３】実用新案登録第３１１４５６０号
【考案の開示】
【考案が解決しようとする課題】
【０００５】
しかしながら、これら先行技術にかかるものは、いずれも位牌や装身具の装飾効果を中心とした精神的効果を目的としたものであり、遺骨や遺灰の清潔な保存、収納・取出し時における遺骨等の形状保護などの技術的効果を目的としているものではない。例えば、前記特許文献１の位牌は遺骨、遺品等の一部を一緒に保管して亡きペットの記憶、感傷を呼び起こす効果を目的としたもので、遺骨や遺灰の清潔な保存の方法、常に身につけて供養する携帯性の効果を目的としたものではない。実用新案登録文献２及び３では、常に身に着けて手元供養することはできても、実用新案登録文献２の装身具では、容器及び遺骨や遺灰の清潔な保存法等が考慮されておらず、また実用新案登録文献３の装飾品では、崩れやすい遺骨の形状を壊さずに、いつでも手元に取出して触れることができるという技術的効果を期待することはできない。
【０００６】
一方、古来は藥入れとして使用され、近年では匂い袋として和装帯飾りに使用される印籠は、その装飾性及び携帯性に優れたものであり、これを拝礼用具、装飾容器として転用することも可能である。しかし、従来の印籠は容器本体と外蓋からなり、容器内部の収納部に直接、薬剤や匂い袋を入れていたため内部を汚し、また収納部が小さいため指先が入らず、十分な清掃も困難な状態にあった。遺骨などの崩れやすいものを入れた場合には、その取出しに細心の注意が必要であり、時として保存しておきたい愛犬等の遺骨（例えば、愛犬の咽喉仏）などの形を崩してしまうこともある。
【０００７】
本考案は、このような状況下においてなされたものであり、収納する容器及び遺骨や遺灰の清潔な保存と、崩れやすい遺骨の形状をそこなわずに収納・取出しが可能な構成とすることにより、常に身近にあって手のひらで遺骨に触れることができ、手元供養の精神的効果を十分に高めることができる装飾容器（印籠）を提供することを目的とする。
【課題を解決するための手段】
【０００８】
上記目的を達成するため、本考案に係る装飾容器は、開口部と収納空間を有する容器本体と、開口部を閉塞して収納空間を密閉する中蓋部と、中蓋部に連結され収納空間に装填される収納袋と、中蓋部を覆い容器本体に嵌合する外蓋部と、から構成されている。
【０００９】
請求項２に係る装飾容器は、請求項１に記載の装飾容器において、容器本体と外蓋部とが嵌合して印籠形が形成されるように構成したものである。
【００１０】
請求項３に係る装飾容器は、請求項１又は請求項２に記載の装飾容器において、収納袋を中蓋部に固定して一体型に構成したものである。
【００１１】
請求項４に係る装飾容器は、請求項１から請求項３のいずれかに記載の装飾容器において、容器本体に小孔を設けて収納空間が外気と連通するように構成したものである。
【００１２】
請求項５に係る装飾容器は、請求項１から請求項４のいずれかに記載の装飾容器において、収納袋をパラフィン紙で形成したものである。
【００１３】
請求項６に係る装飾容器は、請求項５に記載の装飾容器において、パラフィン紙で形成された収納袋が中蓋部に固定される面と交差する方向に挿入口が形成されるように構成したものである。
【００１４】
請求項７に係る装飾容器は、請求項６に記載の装飾容器において、収納袋は、その挿入口が内側に折り畳まれて収納されることを特徴とするものである。上記した手段構成によれば、以下のような作用効果が得られる。
【考案の効果】
【００１５】
本考案の基本構成によれば、装飾容器の内部を汚すことなく遺骨や遺灰を清潔に保存することができる。収納が簡単であり、また取出し時においても崩れやすい大切な遺骨、例えば愛犬等の咽喉仏等の形状を崩すことなく簡単に取出すことが可能である。そのため、常に身近にあって手のひらの上で遺骨等に触れることができるので、手元供養の精神的効果を十分に高めることができる。
【００１６】
容器本体と外蓋部で形成される全体形状を印籠形にすることにより、持ち運びに極めて便利であり、携帯電話やキーホルダーの根付けとして、あるいは和装帯飾りとして使用することができる。また、印籠を立てて置き台にセットし、置き台又は印籠に名前と命日を彫りこんでおけば、愛玩動物などの簡易な拝礼用具として使用することができる。
【００１７】
また中蓋部と収納袋を固定して一体型に形成すれば、収納袋の収納・取出しがきわめて容易で便利になり、収納した遺骨等の形状を効果的に保護することができる。
【００１８】
容器本体に小孔を設けて収納空間が外気と連通するように構成すれば、収納空間内の湿気を排気して遺骨等を保護し、また御香などの香りをもつ芳香剤を同時に収納して、芳香を外気に放つ拝礼用具とすることができる。
【００１９】
収納袋をパラフィン紙で形成すれば、適度な強度が保てるだけでなく、防湿、防水効果に優れているため、遺骨等の風化、変色等を防止することができる。またパラフィン紙が中蓋部に固定される面と交差する方向に挿入口を設ければ、収納・取出しを簡単に行うことができ、遺骨などの崩れやすい形状を壊すことが少なくなり、さらに挿入口を内側に包むようにして折り畳んで収納空間に装填すれば、取出し時に遺灰等の内容物がこぼれて周囲を汚すこともなるという効果を発揮しうる。
【考案を実施するための最良の形態】
【００２０】
以下、本考案に係る装飾容器の実施の形態を添付図面に基づいて説明する。図１は本考案の実施形態である装飾容器１０の斜視図である。おおよそ楕円柱の形状（印籠形）をしており、容器本体１１と、容器本体１１に形成された収納空間１４の開口部を覆うように嵌合する外蓋部１２と、から構成されている。なお、図１は本考案を実施する形態の一例であり、本考案は本形状に限定するものではない。
【００２１】
図２（ａ）は外蓋部１２を外した状態の装飾容器１０の側面図であり、図２（ｂ）はその底面図である。図１と同一の符号を付した部分は同一部分を表している。容器本体１１は樹脂で構成された装飾具であり、容器本体１１に形成される収納空間１４は容器本体１１のほぼ中心部に、容器本体１１の外形とほぼ相似形に穿設されて構成されている。但し、収納空間の両尖端部分は直線状に切り落とされ、全体として中太りの太鼓形状をなしている。
【００２２】
収納空間１４の開口部は容器本体１１の上面（外蓋部１２に覆われる面）に形成され、水や埃等の異物が混入しないように、容器本体１１の上面の高さより僅かに外に突出した保護壁１７によって、その周囲が囲まれている。保護壁１７の内面には中蓋部１３の下部に形成された係止部材１６（図３（ｂ）参照）が嵌合し、中蓋部１３が収納空間１４を閉塞するように構成されている。
【００２３】
外蓋部１２は容器本体１１と同じく、樹脂で構成された装飾具であり、外蓋部１２の内部にも保護壁１７と中蓋部１３を上部から覆う凹空間１８が形成されている。外蓋部１２はその凹空間１８に、前記した容器本体１１の上面から突出している部分を収容して容器本体１１と嵌合し、図１に示す印籠型の装飾容器１０を形成する。
【００２４】
装飾容器１０には、外蓋部１２と容器本体１１が正しく嵌合している状態で、楕円状断面の長軸方向の両尖端付近に、容器本体１１の底部から外蓋部１２の外部上面へ向けて直線状に突き抜ける貫通孔が形成されている。この貫通孔に一本の飾り紐２３が通されている。飾り紐２３は外蓋部１２の外部上面に形成された貫通孔の一の入口から容器本体１１の底面部へ抜け、さらに底面部に形成された溝を通過し、容器本体１１の底面部に形成された他の入口から外蓋部１２の他の出口へと抜けるように通されている。
【００２５】
飾り紐２３は、図２に示すように装飾容器１０の高さ方向の２倍長よりさらに長く必要であり、両終端は外蓋部１２の上部で止め金具２１によって固定されている。その結果、外蓋部１２と容器本体１１は飾り紐２３によって連結されている。また外蓋部１２が容器本体１１から外され、中蓋部１３を容器本体１１から取り外しができる状態まで外蓋部１２を容器本体１１から引き離すことができる。
【００２６】
止め金具２１と外蓋部１２の間の飾り紐２３には、中空円筒状で３段リングの飾りが施されたストッパー２０が、飾り紐２３の両端を、その中空部に通した状態で嵌挿されている。ストッパー２０は止め金具２１によって飾り紐２３から抜け落ちるのが防止されている。外蓋部１２が容器本体１１にしっかり嵌合している状態で、ストッパー２０を外蓋部１２の上面方向に手繰り寄せると、図１に示すように飾り紐２３は容器本体１１と外蓋部１２を緩みなく取り巻き、外蓋部１２が容器本体１１から外れないように固定することができる。
【００２７】
なお、止め金具２１にはリング２２が設けられており、この装飾容器１０の根付けとしての使用や帯飾りとして使用する場合に、ホルダーを接続する孔として使用される。また、容器本体１１の底面には収納空間１４に連通する小孔１５を設けてもよい。収納空間１４内の湿気を排気することができるとともに、芳香剤を収納空間１４に収納して香りを外気に放つ拝礼用具とすることができる。
【００２８】
図３は中蓋部１３と、中蓋部１３に固着して一体型に構成された収納袋３０の側面図である。（ａ）は収納袋３０を開いた図であり、（ｂ）はそれを折り畳んだ図である。中蓋部１３の底部には保護壁１７によって囲まれた収納空間１４の開口部に挿入されて、収納空間１４を閉塞する係止部材１６が設けられており、さらに係止部材１６の底部には収納袋３０が接着されて一体型に構成されている。
【００２９】
中蓋部１３は、外蓋部１２及び容器本体１１と同じ樹脂製であり、係止部材１６は表面摩擦係数が大きい部材、例えば生ゴム、合成ゴム等が使用される。弾性素材が最適であるがこれに限るものではない。収納袋３０はパラフィン紙など防水、防湿効果の優れた強度のある素材が最適である。
【００３０】
収納袋３０は、ほぼ長方形の袋状をしており、その左右幅方向の長さは、一般には中蓋部１３の２倍長ほどある。収納袋３０の上下深さ方向の長さには特に限定はないが、二つ折り、三つ折り、又は四つ折りに折り畳んで収納空間１４に収まる長さである。なお、図３上では、左右幅方向は三つ折に畳むように表示してあるが特にこれに限定するものではない。二つ折りでも、四つ折りでもよい。
【００３１】
収納袋３０は、幅方向の左側半分の上辺が係止部材１６の底面に固着されている。一方、右側半分の上辺は自由端であり、中央部からの折り畳みが可能である。右半分の中央に位置する縦中央折り線に沿って上から４分の３の長さまで挿入口３１が形成されている。下から４分の１の長さまでは開口されておらず、内容物を収納袋３０の上下深さ方向の底部に納めて、その流出を防止できるように構成されている。図３（ｂ）は折り線に沿って収納袋３０を折り畳んだ場合の概略側面図を示すものである。また上下方向にも四つ折りをした場合を例示したものである。
【００３２】
以下に、上記した本考案にかかる装飾容器１０の取扱方法を示す。パラフィン紙製の収納袋３０を広げた状態で挿入口３１から例えば遺骨の小片を挿入する。パラフィン紙を平らにして水平に入れれば崩れやすい遺骨等の形を壊すことはない。収納袋３０の奥まで入れ、挿入口３１が形成された縦中央線に沿って折り、さらに収納袋３０の中央部で折って三つ折にする。さらに遺骨の小片を収納袋３０の下部に安定させた後、水平方向の折り線に沿って二つ又は四つ折にする。折り方は遺骨の小片の大きさに応じて変更することができる。
【００３３】
折り畳まれた状態（例えば図３（ｂ）の状態）で、中蓋部１３を持ってそのまま収納袋３０を収納空間１４に収納する。係止部材１６を保護壁１７の内部に押入れ、中蓋部１３を保護壁１７の上部に固定する。その上から外蓋部１２を飾り紐２３に案内をさせながら容器本体１１に嵌合させる。さらにストッパー２０を外蓋部１２に近づけるように押し下げ、外蓋部１２と容器本体１１を飾り紐２３で固定させる。以上で収納が完了する。
【００３４】
遺骨を手元に出したいときは、その逆の動作を行う。ストッパー２０を止め金具２１まで引き上げ、外蓋部１２を容器本体１１からはずす。中蓋部１３を引き出すと収納袋３０も同時に引き出されるので容器本体１１にぶつけることによって、あるいは、人の握力によって遺骨が崩されることがない。その後、折り畳まれた収納袋３０を手のひら上でそっと広げて平らにし、遺骨の小片を挿入口３１へスライドさせれば、容易に取出すことが可能である。形の崩れやすい遺骨でも、安全に取り扱うことができる。
【００３５】
本考案は中蓋部１３と収納袋３０の構造に効果的特徴を有するものであり、その特徴を遺骨の小片で説明したが、形の崩れが問題とならない遺灰の場合にも、収納袋３０からこぼして収納空間１４内部や周辺を汚すことがなく、安全に取り扱うことが可能である。また遺骨、遺灰に限らず形の崩れやすい小さな物を収納することができる。尚、本考案は上記した実施の形態に限定されるものではなく、本考案の要旨を逸脱しない範囲内において種々変更を加え得ることは勿論である。
【図面の簡単な説明】
【００３６】
【図１】本考案の実施の形態である装飾容器の斜視図である。
【図２】（ａ）は外蓋部を外した状態の装飾容器の側面図であり、（ｂ）はその底面図である。
【図３】中蓋部と一体型に構成された収納袋の概略側面図である。（ａ）は収納袋を開いた図であり、（ｂ）はそれを折り畳んだ図である。
【符号の説明】
【００３７】
１０    装飾容器
１１    容器本体
１２    外蓋部
１３    中蓋部
１４    収納空間
１６    係止部材
１７    保護壁
２０    ストッパー
２１    止め金具
２３    飾り紐
３０    収納袋
３１    挿入口
【図１】
0003122485.tif 000003
【図２】
0003122485.tif 000004
【図３】
0003122485.tif 000005